(57)【要約】【課題】ＨＤＴＶ用の１本の伝送路を用いて、ＨＤＴＶ画像領域より大きな画像領域の高精細画像をシームレスに表示する画像伝送表示システムを提供する。  【解決手段】第１分割画像の１垂直期間のブランキング期間に書き込める画像データ容量範囲内で、垂直ブランキング期間内に互いに隣接する第１、第４分割画像の端画像をそれぞれ互いに隣接させて第３、第４垂直分割画像ブロックとしてコピーするコピー手段３１と、第１〜第４分割画像、第１〜第４水平分割画像ブロック及び第１〜第４垂直分割画像ブロックを伝送する伝送手段４と、第１〜第４分割画像を投映した際に、各分割画像の境界部に不連続が生じている場合にのみ、第１〜第４水平分割画像ブロック及び第１〜第４垂直分割画像ブロックの中のそれぞれ劣化していない中央部の画像ブロックを取り出して第１〜第４分割画像の劣化した端画像部分に置き換える置き換え手段６２と、を有する。【選択図】      図１ 
2006033673.tif 000002
【特許請求の範囲】
【請求項１】
１つの画像を縦横に４分割された分割画像をシリーズに送信して拡大スクリーンに前記１つの画像として投映を行う際に、前記拡大スクリーンに投映された４分割された分割画像の境界部をシームレスにする画像伝送表示システムにおいて、
前記４分割された分割画像を時計周りの方向に第１分割画像、第２分割画像、第３分割画像、第４分割画像とするとき、
前記第１分割画像の１水平期間のブランキング期間に書き込める画像データ容量の範囲内で、前記水平ブランキング期間内に互いに隣接する前記第１、第２分割画像の端画像をそれぞれ互いに隣接させて第１、第２水平分割画像ブロックとしてコピーし、前記第２分割画像の１垂直期間のブランキング期間に書き込める画像データ容量の範囲内で、前記垂直ブランキング期間内に互いに隣接する第２、第３分割画像の端画像をそれぞれ互いに隣接させて第１、第２垂直分割画像ブロックとしてコピーし、前記第４分割画像の１水平期間のブランキング期間に書き込める画像データ容量の範囲内で、前記水平ブランキング期間内に互いに隣接する前記第３、第４分割画像の端画像をそれぞれ互いに隣接させて第３、第４水平分割画像ブロックとしてコピーし、前記第１分割画像の１垂直期間のブランキング期間に書き込める画像データ容量の範囲内で、前記垂直ブランキング期間内に互いに隣接する第１、第４分割画像の端画像をそれぞれ互いに隣接させて第３、第４垂直分割画像ブロックとしてコピーするコピー手段と、
前記第１〜第４分割画像、前記第１〜第４水平分割画像ブロック及び前記第１〜第４垂直分割画像ブロックを伝送する伝送手段と、
前記第１〜第４分割画像を投映した際に、各分割画像の境界部に不連続が生じている場合にのみ、前記第１〜第４水平分割画像ブロック及び前記第１〜第４垂直分割画像ブロックの中のそれぞれ劣化していない中央部の画像ブロックを取り出して前記第１〜第４分割画像の劣化した端画像部分に置き換える置き換え手段と、
を有することを特徴とする画像伝送システム。
【発明の詳細な説明】
【技術分野】
【０００１】
本発明は、ハイビジョン（以下ＨＤＴＶと称する）画像以上の画素数を持つ１枚の高精細画像を複数のＨＤＴＶの信号フォーマットによる画像に分割してこの分割したＨＤＴＶ画像を１画像ずつ複数回伝送し、この伝送された画像を順次受信して分割した複数のＨＤＴＶ画像を全て記憶した後、読み出して合成表示することにより分割前の１枚の高精細画像と同等の画像を得る画像伝送表示システムに関するものである。
【背景技術】
【０００２】
サッカー競技場における画像をＨＤＴＶの４倍の画素数を持つ撮像装置で撮像し、この撮像して得た画像を競技場外へ伝送し、これを大画面の表示装置で受信して表示する図２５に示す高精細な画像伝送表示システムが試験的に試みられた。
【０００３】
この試験的に試みられた高精細な画像伝送表示システムは、特許文献１に記載されているように、複数のＨＤＴＶ画像を同時に伝送して、ＨＤＴＶ画像より高精細な画像を同一画面に合成表示する複合画像伝送表示システムとしたものである。
【０００４】
また、非特許文献１にはＨＤＴＶの約４倍の高精細カメラを用いて４台のＨＤＴＶモニターに画像を表示した画像伝送表示システム例が記載されている。この画像伝送表示システムは高精細カメラで撮像された１枚の画像を４分割してＨＤＴＶ画像に変換し、４台のＨＤＴＶモニターで表示するものである。
【特許文献１】特開２００２−２９０９６６号公報
【非特許文献１】ＮＨＫ技研だより（１９９６年１０月）研究スポット島本洋他
【発明の開示】
【発明が解決しようとする課題】
【０００５】
しかしながら、従来の画像伝送表示システムにおいて、ＨＤＴＶ以上の画素数を持つ特に動きの少ない高精細画像を伝送して表示するためには、画像入力装置と画像表示装置との間に画面分割数と同じ本数のＨＤＴＶ用の伝送路(ケーブル)を長さ、伝送特性を精密に揃える必要があった。しかし複数の伝送路を精密に揃えることは困難で、このため、分割された画像を伝送した後に合成しようとすると、水平・垂直方向の位置がずれたり画質の劣化状態が異なったりしてこれを補正しようとする画像処理を行っても、複数の分割された画像の画質が揃わない、と言う問題点があった。
【０００６】
そこで、本発明は、上記のような問題点を解決して、動きの少ない高精細画像の分割画像をＨＤＴＶ用の１本の伝送路を用い、隣接する分割画像の配列順に従って伝送することにより、水平・垂直方向の位置の合った、画質の劣化状態が同じで画像処理を行うことにより鮮明な画質が揃って得られる画像伝送表示システムを提供することを目的とする。
【課題を解決するための手段】
【０００７】
上記目的を達成するための手段として、第１の発明による画像表示システムは、１つの画像を縦横に４分割された分割画像をシリーズに送信して拡大スクリーンに前記１つの画像として投映を行う際に、前記拡大スクリーンに投映された４分割された分割画像の境界部をシームレスにする画像伝送表示システムにおいて、前記４分割された分割画像を時計周りの方向に第１分割画像、第２分割画像、第３分割画像、第４分割画像とするとき、前記第１分割画像の１水平期間のブランキング期間に書き込める画像データ容量の範囲内で、前記水平ブランキング期間内に互いに隣接する前記第１、第２分割画像の端画像をそれぞれ互いに隣接させて第１、第２水平分割画像ブロックとしてコピーし、前記第２分割画像の１垂直期間のブランキング期間に書き込める画像データ容量の範囲内で、前記垂直ブランキング期間内に互いに隣接する第２、第３分割画像の端画像をそれぞれ互いに隣接させて第１、第２垂直分割画像ブロックとしてコピーし、前記第４分割画像の１水平期間のブランキング期間に書き込める画像データ容量の範囲内で、前記水平ブランキング期間内に互いに隣接する前記第３、第４分割画像の端画像をそれぞれ互いに隣接させて第３、第４水平分割画像ブロックとしてコピーし、前記第１分割画像の１垂直期間のブランキング期間に書き込める画像データ容量の範囲内で、前記垂直ブランキング期間内に互いに隣接する第１、第４分割画像の端画像をそれぞれ互いに隣接させて第３、第４垂直分割画像ブロックとしてコピーするコピー手段と、前記第１〜第４分割画像、前記第１〜第４水平分割画像ブロック及び前記第１〜第４垂直分割画像ブロックを伝送する伝送手段と、前記第１〜第４分割画像を投映した際に、各分割画像の境界部に不連続が生じている場合にのみ、前記第１〜第４水平分割画像ブロック及び前記第１〜第４垂直分割画像ブロックの中のそれぞれ劣化していない中央部の画像ブロックを取り出して前記第１〜第４分割画像の劣化した端画像部分に置き換える置き換え手段と、を有することを特徴とする画像伝送システムを提供することを目的とするものである。
【発明の効果】
【０００８】
本発明の画像伝送表示システムによれば、動きの少ないＨＤＴＶ画像以上の画素数を持つ高精細画像を、分割してＨＤＴＶ用の１本の伝送路を用い、隣接する分割画像の配列順に従って伝送表示することにより、水平・垂直方向の位置の合った、鮮明な画質が揃って得られる画像伝送表示システムを得る事が出来る。
【発明を実施するための最良の形態】
【０００９】
以下に本発明の実施形態に係る画像伝送表示システムについて図１〜図２４を用いて説明する。
図１は本発明の実施形態に係る画像伝送表示システムの概要を示す図である。
図２は図１の配列手段３の詳細を示す図である。図３は図１の記憶手段６の詳細を示す図である。図４は高精細画像の画素数を示し、上部はＨＤＴＶの複数倍の画素数を有する画像の画素数の構成を示す図であり、下部は上部の画像を複数のＨＤＴＶの画像に分割した構成を示す図である。図５は図４のＡ画像とＢ画像の境界画像をブランキングに挿入する例を示す図である。図６は図４において複数に分割した時の各境界部分の画像を抽出しブランキングにコピーしてそれぞれの画像を直列伝送する例を示す図である。図７は画像伝送時と画像表示時の配列を示す図である．図８は図２のコピー付加手段の詳細を示す図である。図９は図３のコピー入れ替え手段の詳細を示す図である。図１０は図８における動作例を示す図である。図１１は図９における動作例を示す図である。図１２はＨＤＴＶフォーマットにおけるデータ配置を示す図である。図１３、図１４は伝送時の画像配列順を示す図である。図１５は動き量検出による伝送時の画像配列順を示す図である。図１６は配列手段に動き量検出手段を用いる場合の構成を示す図である。図１７は動き量検出手段に用いる回路構成を示す図である。図１８は図１６の配列設定手段の詳細を示す図である。図１９は画像位置情報をブランキングに挿入する場合を示す図である。図２０は画像入力装置に記憶手段を設けた場合を示す図である。図２１は撮像手段から直接分割画像を得るための構成を示す図である。図２２はアドレス情報をブランキングに挿入する場合を示す図である。図２３は図２０、図２１において任意のアドレスで分割画像を得る場合を示す図である。図２４は任意のアドレスで分割画像を用いる場合の境界部分を示す図である。
【００１０】
まず、本発明の実施形態における画像伝送表示システムを図１〜図１４により説明する。
図１に示すように、１つの画像を縦横に４分割された分割画像をシリーズに送信して拡大スクリーンに１つの画像として投映を行う際に、拡大スクリーンに投映された４分割された分割画像の境界部をシームレスにする画像伝送表示システムにおいて、４分割された分割画像を時計周りの方向に第１分割画像、第２分割画像、第３分割画像、第４分割画像とするとき、第１分割画像の１水平期間のブランキング期間に書き込める画像データ容量の範囲内で、水平ブランキング期間内に互いに隣接する第１、第２分割画像の端画像をそれぞれ互いに隣接させて第１、第２水平分割画像ブロックとしてコピーし、第２分割画像の１垂直期間のブランキング期間に書き込める画像データ容量の範囲内で、垂直ブランキング期間内に互いに隣接する第２、第３分割画像の端画像をそれぞれ互いに隣接させて第１、第２垂直分割画像ブロックとしてコピーし、第４分割画像の１水平期間のブランキング期間に書き込める画像データ容量の範囲内で、前記水平ブランキング期間内に互いに隣接する第３、第４分割画像の端画像をそれぞれ互いに隣接させて第３、第４水平分割画像ブロックとしてコピーし、第１分割画像の１垂直期間のブランキング期間に書き込める画像データ容量の範囲内で、垂直ブランキング期間内に互いに隣接する第１、第４分割画像の端画像をそれぞれ互いに隣接させて第３、第４垂直分割画像ブロックとしてコピーするコピー手段３１と、第１〜第４分割画像、第１〜第４水平分割画像ブロック及び第１〜第４垂直分割画像ブロックを伝送する伝送手段４と、第１〜第４分割画像を投映した際に、各分割画像の境界部に不連続が生じている場合にのみ、第１〜第４水平分割画像ブロック及び第１〜第４垂直分割画像ブロックの中のそれぞれ劣化していない中央部の画像ブロックを取り出して第１〜第４分割画像の劣化した端画像部分に置き換える置き換え手段６２と、を有するものである。
【００１１】
そして図２に示すように配列手段３では、図４の上部に示す１個の画像ＳＨの画像信号Ｄ０を４個の画像Ａ、Ｂ、Ｃ、Ｄに分割して得たそれぞれの画像信号Ｄ１０、Ｄ１１、Ｄ１２、Ｄ１３を入力し配置位置付加手段３０でまず配置位置をそれぞれの画像信号に付加した後コピー画像付加手段３１により図５に示すように例えば画像Ａと画像Ｂの境界部分を画像Ａのブランキング部分にコピーする。
【００１２】
このコピー画像の配置例を図６に示す。図６上部は画像Ａと画像Ｂの境界部分のコピーとして斜線で示す画像ａｂ、画像Ｂと画像Ｄの境界部分のコピーとして斜線で示す画像ｂｄ、画像Ｃと画像Ｄの境界部分のコピーとして斜線で示す画像ｃｄ、画像Ａと画像Ｃの境界部分のコピーとして斜線で示す画像ａｃを示したものである。
【００１３】
これらのコピー画像を図６中央部及び下部に示すように１個ずつ伝送する分割画像のブランキング部分にそれぞれコピーして伝送する。例えば画像Ａは画像ａｂを水平ブランキング期間に、画像Ｂには画像ｂｄを垂直ブランキング期間に、画像Ｄには画像ｃｄを水平垂直ブランキング期間に、画像Ｃには画像ａｃを垂直ブランキング期間にそれぞれ水平、垂直ブランキング期間に交互にコピー画像を付加して伝送する。
【００１４】
このように図７(１)に示すように隣接する分割画像を１個ずつ伝送すると、図７（２）の画像表示時に境界部における画像劣化部分を即時に入れ替えることが出来る。
【００１５】
従って、隣接する画像に隣接する境界部分の画像のコピーをブランキング部分に付加して伝送することにより、境界部分の画像の入れ替えが容易であり、しかも伝送による画質の劣化も伝送位置が近接しているため略同等であり画質の揃った補正を行うことが出来るから高画質の画像を保持できる。
【００１６】
コピー画像付加手段３１の動作例を図８、図１０を用いて説明する。コピー画像付加手段は１ラインメモリＡｍｅｍｏｒｙ０、Ａｍｅｍｏｒｙ１、Ｂｍｅｍｏｒｙ０、Ｂｍｅｍｏｒｙ１、境界部分の画像を記憶するＢｕｆｆｅｒＭ０、ＢｕｆｆｅｒＭ１、メモリから読み出しタ信号を選択するスイッチＳＷ０，ＳＷ１、そしてブランキング期間に境界部分の画像信号をコピーするＢＬｍｉｘより構成される。
【００１７】
そして、分割された画像における１個の画像から画像信号Ｄａ０がコピー画像付加手段３１に入力されるとＡｍｅｍｏｒｙ０にまずＬｉｎｅ０の期間に１ライン分の画像信号Ｄａ０-０が記憶されるがこのとき境界部分Ａ０の画像信号がＢｕｆｆｅｒＭ０に同時に記憶される。
その時、隣接する他の１個の画像からも画像信号Ｄｂ０がコピー画像付加手段３１に入力されるとＢｍｅｍｏｒｙ０にまずＬｉｎｅ０の期間に１ライン分の画像信号Ｄｂ０-０が記憶されるがこのとき境界部分Ｂ０の画像信号がＢｕｆｆｅｒＭ１に同時に記憶される。
【００１８】
そしてブランキング期間ＢＬ０にＢｕｆｆｅｒＭ０とＢｕｆｆｅｒＭ１に記憶された境界部分Ａ０、Ｂ０の画像信号を読み出してＢＬｍｉｘに入力し出力信号Ｄａ５のブランキング部分に境界部分Ａ０とＢ０の境界部分でないほうの端の画像信号を背中合わせに配置してコピーする。次のＬｉｎｅ１の期間はＡｍｅｍｏｒｙ０及びＢｍｅｍｏｒｙ０からはそれぞれ記憶した画像信号Ｄａ０−０とＤｂ０−０を読み出して出力Ｄａ５、Ｄｂ４に送る。
【００１９】
Ｌｉｎｅ１の期間はＡｍｅｍｏｒｙ１、Ｂｍｅｍｏｒｙ１で次の画像信号Ｄａ０−１、Ｄｂ０−１を記憶する。このときそれぞれの境界部分Ａ１とＢ１の画像信号もＢｕｆｆｅｒＭ０とＢｕｆｆｅｒＭ１にそれぞれ記憶される。そしてＢＬ１のブランキング期間に出力信号Ｄａ５のブランキング部分に境界信号Ａ１とＢ１の画像信号をコピーする。
図７のＳＷ０とＳＷ１はそれぞれのメモリが読み出された画像信号を切り替える。
【００２０】
このようにして隣接する画像の水平境界部分を水平ブランキング期間にコピーする水平方向について説明したが垂直方向についても同様にして垂直のブランキング期間に垂直境界部分の画像をコピーする。
【００２１】
次にコピー画像入れ替え手段６２の動作例を図９、図１１を用いて説明する。コピー画像付加手段は境界部分の画像を記憶するＢｕｆｆｅｒＭ２、ＢｕｆｆｅｒＭ３、メモリから読み出しタ信号を選択するスイッチＳＷ０，ＳＷ１、そして境界部分の画像信号を入れ替える入れ替え回路Ｃｈ０，Ｃｈ１より構成される。
【００２２】
画像処理された画像信号Ｄａ５のブランキング期間ＢＬ０の境界部分Ａ０とＢ０の画像信号をコピーした画像信号のうちＡ０の画像信号をＭｕｆｆｅｒＭ２に、Ｂ０の画像信号をＭｕｆｆｅｒＭ３に記憶する。次にＬｉｎｅ０の期間で画像信号Ｄａ５−０の境界部分Ａ０の境界部分に隣接する１／２の範囲の画像信号をＭｕｆｆｅｒＭ２に記憶した境界部分Ａ０の１／２の範囲の画像信号とを入れ替え回路Ｃｈ０で入れ替えて画像信号Ｄａ７を得る。同様にＬｉｎｅ０の期間で画像信号Ｄｂ４−０の境界部分Ｂ０の境界部分に隣接する１／２の範囲の画像信号をＭｕｆｆｅｒＭ３に記憶した境界部分Ｂ０の１／２の範囲の画像信号とを入れ替え回路Ｃｈ１で入れ替えて画像信号Ｄａ６を得る。
【００２３】
このようにすればブランキング期間にコピーされた境界部分Ａ０とＢ０の画像信号は背中合わせの状態で画像の連続性を持ちながら画像処理されているから、コピー画像入れ替え手段６２から出力された画像信号Ｄａ７とＤａ６は境界部分に連続性を有することが出来る。
【００２４】
図１２に示すようにＨＤＴＶフォーマットではブランキング部分に有効データブロックが設定されているのでここにコピー画像を隣接画像の境界部分Ｙ１，Ｚ１が図１２(２)に示すように背中合わせになるよう挿入する。そして伝送後データ劣化の無いコピー部分１／２Ｙ１，１／２Ｚ１を境界部分で劣化を生じた１／２Ｙ０，１／２Ｚ０とを図１２(ｄ)に示すように入れ替える。
【００２５】
従って図６に示す画像Ａ，Ｂ，Ｃ，Ｄについて同様の処理を行えば、全ての画像間の境界部分に連続性を得ることが出来るから、これを合成表示すれば４個の分割された画像から１個のシームレスの画像を得ることが出来る。
【００２６】
１本の伝送路による分割した画像の伝送順序は図１３に示すように、まず、最初の画像をＤ１０→Ｄ１１→Ｄ１３→Ｄ１２と順番に記憶しながら送り、記憶した画像は同時に読み出して４個の画像をそのまま表示する。そして次の画像を入れ替えながら順次表示する。この画像の表示順序は図６の配列に準じた、図１４に示すような右回りと左回りの配列が考えられる。
【００２７】
次に、本発明の実施形態の変形である画像伝送表示システムを図１５〜図２４により説明する。
図１５に示す配列は一定順序の配列ではなくて、４個の分割された画像の動き量を検出して、その動き量の大小によって伝送する画像を選択する。例えば図１５（１）において斜線部の動き量が多い画像が１個で他の画像に動きがない場合、この１個の画像のみが伝送されるから、この画像は動画となる。
そして図１５（２）では動きのあった画像のみを拡大表示し、動きがない場合は標準の画枠による表示とした場合である。
【００２８】
図１６に動き量検出手段を図１に示す配列手段３に付加した例を示す。
そして、配列手段３に入力された４個の画像信号(Ｄ１０，Ｄ１１，Ｄ１２，Ｄ１３)は、まず、図１６に示すように配置位置付加手段３０で１個の画像の位置にそれぞれ対応する４個に分割された画像の位置をそれぞれの画面位置情報Ｐ０，Ｐ１，Ｐ２，Ｐ３としてブランキング部分に付加した４個の画像信号(Ｄ１００，Ｄ１０１，Ｄ１０２，Ｄ１０３)とし、次に動き量検出手段３１で動き検出を行い検出した動き量Ｍ０，Ｍ１，Ｍ２，Ｍ３もそれぞれに画面位置情報とは別のブランキング部分に付加して４個の画像信号(Ｄ２００，Ｄ２０１，Ｄ２０２，Ｄ２０３)として出力する。
【００２９】
それぞれの画像信号のブランキング部分に画面位置情報と動き量を付加するのは、画像信号の画像部分に影響を起こさないためであり、また使用していないブランキングを有効活用するためである。
【００３０】
この動き量検出手段３１は図１７に示すように、例えば画像信号Ｄ１００において、２組のフレームメモリ３３，３４を用いて１フレーム間と２フレーム間の画像信号における差分の絶対値Ｓｄ０、Ｓｄ１から動き量Ｍ０を抽出する。動き量検出回路３９では急峻な動き検出を行う時は差分の絶対値Ｓｄ０、Ｓｄ１の最大値を動き量Ｍ０とし、ゆっくりした動き検出でよい時は差分の絶対値Ｓｄ０、Ｓｄ１の平均値を動き量Ｍ０とする。この動き量Ｍ０は画像信号Ｄ１００のブランキング部分に動き量付加回路４０で付加して画像信号Ｄ２００として出力する。画像信号Ｄ１０１，Ｄ１０２，Ｄ１０３も同様にして動き量Ｍ１，Ｍ２，Ｍ３を付加した画像信号２０１，Ｄ２０２，Ｄ２０３として出力する。
【００３１】
このように画像信号にそれぞれの画面位置情報と動き量を付加しておけば、画像信号をそれぞれ単独で伝送しても誤動作を防ぐことが出来る。
【００３２】
そして、この動き量検出手段３１から４個の画像信号(Ｄ２００，Ｄ２０１，Ｄ２０２，Ｄ２０３)を入力した図１８に示す配列設定手段３２では、まず動き量抽出回路で動き量Ｍ０，Ｍ１，Ｍ２，Ｍ３を抽出し、次に動き量配列順設定回路４個でそれぞれの動き量Ｍ０，Ｍ１，Ｍ２，Ｍ３に応じていずれか１つの画像信号を巡回的に選択する選択信号ＳＬ０と画像の拡大を状況に応じて指定する拡大信号Ｗ０を生成する。
【００３３】
例えば選択信号ＳＬ０は、最初に４個の画像信号を巡回的に選択し次に動き量の最大値を示す画像信号を優先的に選択する。そして、動き量が最大値以外の画像信号は一定間隔を置いて巡回的に選択する。このようにすれば動画表示も可能となりよりリアル感を得ることが出来る。
【００３４】
このように動き量が大きい画像信号を優先的に選択すると、選択された画像はほぼ伝送路を独占することになり動画として利用出来る。その場合、他の画像信号は略停止状態の静止画となるから例えば５分に一回程度で入れ替えるとよい。
【００３５】
また画像信号の配列順を、定められた順番とする固定配列順設定手段４２では、配列順を予め複数記憶した配列順設定回路により出力された選択信号ＳＬ１，ＳＬ２，ＳＬ３を選択して用いる。
従って、配列順の選択は、動き量による選択信号ＳＬ０と固定配列による選択信号ＳＬ１，ＳＬ２，ＳＬ３とを配列順選択回路４３により、画像信号に応じて設定する。
【００３６】
配列順選択回路４３では選択した選択信号からＳＷ信号ＳＷ０，ＳＷ１，ＳＷ２，ＳＷ３のいずれかをＯＮにし他をＯＦＦとして画像信号選択手段４４に送る。画像信号選択手段４４では４個の画像信号Ｄ２００，Ｄ２０１，Ｄ２０２，Ｄ２０３に応じた４個のスイッチにより画像信号を選択する。選択された画像信号は伝送するための画像信号Ｄ２として出力する。この時画像信号に付加されている画面位置情報Ｐ１〜Ｐ３のいずれかを抽出し画面位置情報ＡＩ０として出力する。
【００３７】
このようにして、動き量に応じて画像信号を選択したい場合と、定められた順番で順次画像信号を選択したい場合とを設定する。
【００３８】
次に配列手段３の画像信号選択手段４４から伝送手段４に、画像信号Ｄ２と画面位置情報ＡＩ０を送る。伝送手段４では、図１９に示すＨＤ-ＳＤＩ信号においては、ＡＲＩＢ規格ＢＴＡ  Ｓ-００５Ｂで規定された、映像データブロックと、ブランキング期間における補助データ領域として有効データブロックがあるから、このＨＤ-ＳＤＩ信号の映像データブロックに画像信号Ｄ２を挿入し画面位置情報ＡＩ０を有効データブロックに挿入して伝送信号Ｄ３を構成する。
【００３９】
そして、伝送路１０１を介して画像表示装置１０２の受信手段５に入力された伝送信号Ｄ３を復調して画像信号Ｄ４とし、この画像信号Ｄ４を記憶手段６に出力すると共に、有効データブロックに挿入した画面位置情報ＡＩ０を読み取り画面位置情報ＡＩ１として記憶手段６に送る。
記憶手段６では、図１３に示される４個の画像信号(Ｄ１０，Ｄ１１，Ｄ１２，Ｄ１３)の画面位置のそれぞれに対応した記憶領域(ＭＡ,ＭＢ,ＭＣ,ＭＤ)を持ち、入力した画像信号Ｄ４を画面位置情報ＡＩ１に応じて、記憶手段６の記憶領域(ＭＡ,ＭＢ,ＭＣ,ＭＤ)のいずれかに記憶する。
【００４０】
記憶手段６の記憶領域(ＭＡ,ＭＢ,ＭＣ,ＭＤ)は、４個の画像信号に対応した記憶量を持ち、それぞれ２フレームずつのメモリ群（ＭＡ→ＭＡ１,ＭＡ２）,（ＭＢ→ＭＢ１,ＭＢ２）,（ＭＣ→ＭＣ１,ＭＣ２）,（ＭＤ→ＭＤ１,ＭＤ２）からなり、一方の１フレームのメモリ群に書き込む間に他方の１フレームのメモリ群を読み出すことにより、連続した書き込みと読み出しを行う。そして、記憶手段６では入力した画像信号Ｄ４を画面位置情報ＡＩ１により指定されたメモリ群の読み書きを切り換えるように構成されている。表示手段７は、記憶手段６から読み出された４個の画像信号（Ｄ５０，Ｄ５１，Ｄ５２，Ｄ５３）を第１画像信号Ｄ０と同じ配置になるように表示画面上に合成表示する。
【００４１】
このようにして、ＨＤＴＶ画像領域より大きな画像領域を持つ高精細画像を、ＨＤＴＶ画像１個の伝送によってリアル感を持ちながら表示することが出来る。
【００４２】
そして、図２０に示すように分割手段２に記憶手段２‘を設けて制御する場合と、図２１に示すように撮像手段１を直接制御する場合は、制御手段８からアドレス１個の画像のアドレスＡｄ０を生成して任意の位置の画像を伝送する。アドレス情報は図２２に示すようにブランキング部分の有効データブロックに挿入する。
すなわち図２２においては記憶手段２‘に１個の画像を記憶し制御手段から送られてきたアドレスに従って各分割画像を読み出し配列手段で分割した１個の画像としてまとめて伝送手段によりアドレスを挿入したのち伝送される。画像表示装置１０２では挿入されたアドレスに基づいて送られてきた画像を表示する。
図２３については撮像手段のアドレスＡｄｄ０を直接指定して撮像した画像を伝送手段に送り、伝送手段ではアドレスを挿入して伝送する。画像表示装置１０２では挿入されたアドレスに基づいて送られてきた画像を表示する。
【００４３】
従ってアドレスを任意に指定すると図２３（１）に示すように最初は４個の分割画像を伝送して記憶表示し、次に図２３（２），（３）に示すように任意のアドレスの画像を伝送することが出来る。また図２４に示す任意のＸＹ画像の境界部分を、画像処理をしても連続性を保つ場合は、図２４示すように内部境界部分と周辺部境界部分の画像をブランキングに挿入する。
【００４４】
このようにして１個の高精細画像を表示しながら任意のアドレスの画像を入れ替えることが出来る。
【００４５】
以上述べてきたように、本発明の画像伝送表示システムによれば、動きの少ないＨＤＴＶ画像以上の画素数を持つ高精細画像を、１本の伝送路を用いて分割伝送して表示することが出来るから、複数の伝送路を使用する場合の伝送路のずれによる水平・垂直方向の位置がずれたり、画質の劣化状態が異なったりしてこれを補正しようとする画像処理を行っても画質が揃わない、などと言う問題点は発生せず、水平・垂直方向の位置の合った、画質の揃った高精細画像を得ることが出来る。
【図面の簡単な説明】
【００４６】
【図１】本発明の実施形態に係る画像伝送表示システムの概要を示す図である。
【図２】図１の配列手段３の詳細を示す図である。
【図３】図１の記憶手段６の詳細を示す図である。
【図４】高精細画像の画素数を示し、上部はＨＤＴＶの複数倍の画素数を有する画像の画素数の構成を示す図であり、下部は上部の画像を複数のＨＤＴＶの画像に分割した構成を示す図である。
【図５】図４のＡ画像とＢ画像の境界画像をブランキングに挿入する例を示す図である。
【図６】図４において複数に分割した時の各境界部分の画像を抽出しブランキングにコピーしてそれぞれの画像を直列伝送する例を示す図である。
【図７】画像伝送時と画像表示時の配列を示す図である。
【図８】図２のコピー付加手段の詳細を示す図である。
【図９】図３のコピー入れ替え手段の詳細を示す図である。
【図１０】図８における動作例を示す図である。
【図１１】図９における動作例を示す図である。
【図１２】ＨＤＴＶフォーマットにおけるデータ配置を示す図である。
【図１３】伝送時の画像配列順を示す図である。
【図１４】伝送時の画像配列順を示す図である。
【図１５】動き量検出による伝送時の画像配列順を示す図である。
【図１６】は配列手段に動き量検出手段を用いる場合の構成を示す図である。
【図１７】は動き量検出手段に用いる回路構成を示す図である。
【図１８】図１９の配列設定手段の詳細を示す図である。
【図１９】画像位置情報をブランキングに挿入する場合を示す図である。
【図２０】画像入力装置に記憶手段を設けた場合を示す図である。
【図２１】撮像手段から直接分割画像を得るための構成を示す図である。
【図２２】アドレス情報をブランキングに挿入する場合を示す図である。
【図２３】図２０、図２１において任意のアドレスで分割画像を得る場合を示す図である。
【図２４】任意のアドレスで分割画像を用いる場合の境界部分を示す図である。
【図２５】従来の画像伝送システムを示す図である。
【符号の説明】
【００４７】
１・・・撮像手段、２・・・分割手段、２‘・・・記憶手段、３・・・配列手段、４・・・伝送手段、５・・・受信手段、６・・・記憶手段、７・・・表示手段、８・・・制御手段、３０・・・配置位置付加手段、３１・・・コピー画像付加手段、３１−１・・・動き量検出手段、３２・・・配列設定手段、３３・・・フレームメモリ、３４・・・フレームメモリ、３５・・・減算器、３６・・・減算器、３７・・・絶対値回路、３８・・・絶対値回路、３９・・・動き検出回路、４０・・・動き量付加回路、４１・・・配列順変動指定部、４２・・・配列固定指定部、４３・・・配列順選択回路、４４・・・画像信号選択回路、６０・・・画像配置順整列手段、６１・・・画像記憶／画像処理手段、６２・・・コピー画像入れ替え手段、１００・・・画像入力装置、１０１・・・伝送路、１０２・・・画像表示装置、１０３・・・伝送路、１０４・・・画像表示装置
【図１】
2006033673.tif 000003
【図２】
2006033673.tif 000004
【図３】
2006033673.tif 000005
【図４】
2006033673.tif 000006
【図５】
2006033673.tif 000007
【図６】
2006033673.tif 000008
【図７】
2006033673.tif 000009
【図８】
2006033673.tif 000010
【図９】
2006033673.tif 000011
【図１０】
2006033673.tif 000012
【図１１】
2006033673.tif 000013
【図１２】
2006033673.tif 000014
【図１３】
2006033673.tif 000015
【図１４】
2006033673.tif 000016
【図１５】
2006033673.tif 000017
【図１６】
2006033673.tif 000018
【図１７】
2006033673.tif 000019
【図１８】
2006033673.tif 000020
【図１９】
2006033673.tif 000021
【図２０】
2006033673.tif 000022
【図２１】
2006033673.tif 000023
【図２２】
2006033673.tif 000024
【図２３】
2006033673.tif 000025
【図２４】
2006033673.tif 000026
【図２５】
2006033673.tif 000027